(57)【要約】【課題】開くと円形を呈し畳むと棒状になる円形扇子で、使用時には円筒の柄の上部に固定し、収納時には該柄の中空部に収納しその上部にキャップを冠着してペン型になる柄付き円形扇子を提供する。【解決手段】蛇腹状に均等に折り畳んだシート状基材の下端部を結束して軸を設け、その基材の最初と最後の折り曲げ部にそれぞれ固着した固着部とその上部の突出部を形成する一対の扇骨から成る円形扇子で、それを開いた状態の前記突出部の片側上部とその他方の下部にそれぞれ係止ピンを横設し、柄の上部にそれらの係止ピンが係止するそれぞれ嵌合孔を有する摺動溝を形成し、該嵌合孔の入口に前記係止ピンの係脱防止手段を設けて前記柄が前記円形扇子を保持するように構成し、畳んだ状態の該円形扇子の左右の突出部の接合部が緩嵌合して前記柄の外径に収まるように前記それぞれの係止ピンに相対する咬合孔を設けて前記柄にキャップを冠着するように構成した。【選択図】図１
2018075341.tif 000002
【特許請求の範囲】
【請求項１】
畳んだ状態の扇面（３）を開くと円形を形成し該扇面（３）を畳むと略棒状になる円形扇子（１）と、開いた状態の該円形扇子（１）を保持し畳んだ状態の該円形扇子（１）を収納可能とする合成樹脂で成形された有底の円筒状の柄（２）と、該柄（２）の上部開口部に着脱自在に冠着されるクリップ（１７）を具備した略円筒状のキャップ（１６）とから構成された柄付き円形扇子であって、
前記円形扇子（１）は、合成樹脂で一体成形された一対の扇骨（６）と扇面（３）を形成するシート状基材（５）と該シート状基材（５）を結束する軸（７）とから構成され、前記一対の扇骨（６）は、前記シート状基材（５）の両端に係止固着する固着部（６−１）と該固着部に延設した突出部（６−２）とから成り、
前記扇面（３）は、前記円形扇子（１）が開いた状態で円形を形成するように横方向に細長い前記シート状基材（５）を蛇腹状に均等に折り畳んだ該シート状基材（５）の短手方向の下端部を緊締結束して軸（７）を設け、
前記一対の扇骨（６）の固着部（６−１）は、蛇腹状に均等に折り畳んだ状態の前記基材（５）の短手方向の幅寸法に収まる幅寸法を有した薄平板状を成し、
該蛇腹状に均等に折り畳んだシート状基材（５）の最初と最後との折り曲げ部の前記軸部（７）から該シート状基材（５）の上端部にかけてそれぞれに係止固着し、
さらにその折り畳んだ該シート状基材（５）の上端部から１０ｍｍ程度上部までを形成し、
前記一対の扇骨（６）の突出部（６−２）は、前記軸（７）を下部方向にした場合の前記シート状基材（５）に係止固着した前記固着部（６−１）の高さ方向の上部に突出した指先で挟持できる程度の長さ寸法を形成し、
該左右の突出部（６−２）を左右の指先で掴み前記軸（７）を中心に枢動することによって蛇腹状に折り畳んだ前記シート状基材（５）が展開して前記円形扇子（１）の扇面（３）を円形に形成し、
前記左右の突出部（６−２）は、開いた状態の前記円形扇子（１）を前記柄（２）の上部に嵌脱可能に保持し得る嵌合保持手段を具備し、
そして前記軸（７）を下部方向に前記円形扇子（１）を畳み、前記柄（２）の中空部に収納して前記クリップ（１７）を具備したキャップ（１６）を該柄（２）の上部開口部に冠着できるように構成したペン型に収納できることを特徴とする柄付き円形扇子。
【請求項２】
前記扇骨（６）の左右の突出部（６−２）の形状は、
前記円形扇子（１）を畳んだ状態ではその左右の接合部が略半円周曲面どうしであり、
前記円形扇子（１）を開いた状態ではその左右の接合部が平面どうしであり、
その横断面は、それぞれ丸頭リベット状のその丸頭部の両端が丸みを帯びた形状を有し、
前記円形扇子（１）を開いた状態の前記左右の突出部（６−２）が接合したその横断面は、前記丸頭リベット状の左右の丸頭部が前記柄（２）の内円周面にそれぞれ摺動可能に密接する曲面を形成し、
且つ前記柄（２）の内径寸法に嵌脱可能に内接する幅寸法を有し、
前記左右の丸頭リベット状の丸頭部の高さ寸法は、それぞれ該丸頭リベット状の首下の長さ寸法と略同程度であり、
該丸頭リベット状のその軸径寸法は、該丸頭リベット状の首下の長さ寸法の略２倍程度であり、
前記畳んだ状態の前記円形扇子（１）の左右の突出部（６−２）の接合した横断面の外形が前記柄（２）の外径寸法に収まるように形成されていることを特徴とした請求項１に記載の柄付き円形扇子。
【請求項３】
畳んだ状態の前記円形扇子（１）において、
前記扇骨の左右の突出部（６−２）の接合部の片方の略半円周曲面の上部に第一の係止ピン（１０）を横設し、
該第一の係止ピン（１０）は、
前記柄（２）の外円周側面に係着して摺動可能とする頭部を有し
その頭部の首下の長さ寸法は該柄（２）の肉厚相当を有し、
前記第一の係止ピン（１０）を設けた他方の前記突出部（６−２）の略半円周曲面に該第一の係止ピン（１０）に相対する位置に該第一の係止ピン（１０）を嵌脱可能に緩嵌合し得る凹型の第一の咬合孔（１２）を設け、
前記第一の係止ピン（１０）を設けた他方の突出部（６−２）の接合部の略半円周曲面の下部に前記第一の係止ピン（１０）と同一形状の第二の係止ピン（１１）を横設し、
該第二の係止ピン（１１）に相対する他方の前記突出部（６−２）の略半円周曲面の位置に該第二の係止ピン（１１）を嵌脱可能に緩嵌合し得る凹型の第二の咬合孔（１３）を設け、
前記左右の突出部（６−２）の略半円周曲面の接合部は前記第一の係止ピン（１０）が前記第一の咬合孔（１２）に、前記第二の係止ピン（１１）が前記第二の咬合孔（１３）に、と相互に係入して緩嵌合するように形成した構成としたことを特徴とした請求項１または請求項２に記載の柄付き円形扇子。
【請求項４】
前記柄（２）は、畳んだ状態の前記円形扇子（１）の扇面（３）の長手方向を収納する長さ寸法とその短手方向を包接して収納する内径寸法とを有し、
そして開いた状態の前記円形扇子（１）の左右の扇骨（６）の突出部（６−２）を保持するための前記第一の係止ピン（１０）を摺動可能に係合する第一の摺動溝（８）と前記第二の係止ピン（１１）を摺動可能に係合する第二の摺動溝（９）とを前記柄（２）の上部開口部の円周縁部の両端からそれぞれ下部方向に周設し、
前記第一の摺動溝（８）に前記第一の係止ピン（１０）が、そして前記第二の摺動溝（９）に前記第二の係止ピン（１１）が、といずれもが前記柄（２）の内円周部に介挿して、且つ前記軸（７）を上部方向にした時の前記左右の突出部（６−２）の上部面が前記柄（２）の上部縁面と均一となるように形成し、
前記第一の係止ピン（１０）及び前記第二の係止ピン（１１）の両方が前記柄（２）の上部縁部より下部に介挿した位置から、さらに前記左右の接合した状態の突出部（６−２）を左右どちらかの横方向に数十度枢動して前記第一の係止ピン（１０）及び前記第
2018075341.tif 000003
溝（８）と前記第二の摺動溝（９）とを延設し、
そして該第一の摺動溝（８）と該第二の摺動溝（９）とのそれぞれの停止部に前記第一の係止ピン（１０）の首下部を嵌脱可能に嵌合する第一の嵌合孔（１４）と第二の係止ピン（１１）の首下部を嵌脱可能に嵌合すると第二の嵌合孔（１５）とを形成し、
さらに該第一の嵌合孔（１４）と該第二の嵌合孔（１５）との入口に、前記第一の係止ピン（１０）が前記第一の嵌合孔（１４）から、そして前記第二の係止ピン（１１）が第二の嵌合孔（１５）からとそれぞれ係脱を防止するための係脱防止手段として弾性を有する係止凸部（１８）をそれぞれ形成した構成としたことを特徴とした請求項１または請求項２か請求項３に記載の柄付き円形扇子。
【発明の詳細な説明】
【技術分野】
【０００１】  本発明は、柄の中空部に円形扇子を収納可能とする柄付き円形扇子に関する。
【背景技術】
【０００２】  一般的な扇子は、複数の扇骨と、扇面を形成する基材から成り、その扇骨は縦方向の長さが２０〜２５ｃｍ前後の細長い薄板状の一対の親骨と、その中間部に親骨よりさらに薄い板状の複数の中骨から成り、それらの扇骨を重ね合わせて結束したその下端部に貫通する要を設け、その要の上部に扇形の扇面を形成する蛇腹状に均等に折り畳んだ基材を貼着させ、使用時には要を軸に左右の親骨をスライドさせて扇面を広げ、畳むときはその左右の親骨を重ね合わせることにより扇面が閉じるようになっている。【０００３】  また円形の扇面を形成する円形扇子は、一対の親骨とその中間部にその親骨より短い薄板状の複数の中骨と扇面を形成するシート状基材とから構成され、その親骨と複数の中骨を重ね合わせた端部を貫通する軸を設け、その軸部を除くその中骨が形成する円周部に蛇腹状に均等に折り畳んだ基材をその親骨と中骨に貼着して成り、その親骨の片方をその軸を中心に他方の親骨を枢動させて親骨どうしが重なることによりそのシート状基材がドーナツ状の扇面を形成して、その左右が重なった親骨の下端部を握持部として使用する円形扇子がある。【０００４】  さらに二本の扇骨と扇面を形成する基材からなる円形扇子は、横長の蛇腹状に均等に折り畳んだ基材の下端部を結束して軸を設け、扇面が円形を形成するようにその蛇腹状に均等に折り畳んだ基材の最初と最後の折目部に、それぞれ薄板状のその基材の上部の端部を上回る長さを有する扇骨を固着させその軸を中心にその左右の扇骨を左右の指先で円を描くように展開することにより基材が円形の扇面を形成する円形扇子もある。【０００５】  団扇は、扇子と形状が異なり一般に棒状の握持部となる柄と風を起こす薄肉の放射状の扇骨とを一体に形成した骨組に、その扇骨部を基材で覆い扇面を形成して成り、その柄部を握り扇いで使用するようになっている。【０００６】  扇ぎ葉と柄を一体化してさらにその柄を補強する鞘部を備え、それらが一体化した厚紙製でできた畳むことができる柄付き扇子がある。（例えば、特許文献１参照。）。【０００７】  親骨と中骨の間に要軸を貫通する回動可能な、耳かきやナイフなどの長片部材を扇子内部に収容可能とする扇子があるがある。（例えば、特許文献２参照。）。【０００８】  折り曲げ可能な板状部材を用いて、扇子を構成する帯状の骨子と扇面を形成する蛇腹状の折り曲げ部とが交互に連続して連接し、さらにその骨子を回動可能に固定するためにその骨子の各基端部に貫通状態で設けられた要部を備えた一体で形成される扇子がある。（例えば、特許文献３参照。）。【０００９】  一般的な扇子の構成である一対の親骨とその中間部の中骨から形成された扇子に、その扇子の要を同一として回動自在の親骨より長い一対の骨を親骨の外側に設け柄として使用するうちわ型扇子がある。（例えば、特許文献４参照。）。
【先行技術文献】
【特許文献】
【００１０】
【特許文献１】特開２０１４−２１０１２８号公報
【特許文献２】特開２０１５−１９８９９７号公報
【特許文献３】特開２０１３−３４６２７号公報
【特許文献４】特開２０１４−２１７７２０号公報
【発明の概要】
【発明が解決しようとする課題】
【００１１】  これは、以下のような問題がある。
扇子はコンパクトで携帯しやすいため主に夏場の外出先などで使用されている。団扇は家庭内やお祭りやスポーツ観戦などで多く使用されている。そのような扇子と団扇の両方の使用に対応できるものがなかった。【００１２】  団扇は宣伝用やイベント用として扇面を活用することがあるが、扇子を宣伝用に使うことは団扇に比べ少なかった。【００１３】  円形扇子は片方の親骨をスライドさせるものと要を軸に片側の親骨を枢動させるものがあるがいずれも握持部となる親骨が突出して携帯しにくかった。【００１４】  円形扇子に柄を備え、その円形扇子をその柄の内部に収納できるコンパクトでペン型に収納できるものがなかった。【００１５】  従って、本発明の意図することは、扇子と団扇の双方の利点を備えたコンパクトに収納できて携帯しやすい上、扇ぎ易くイベントや宣伝等にも利用しやすい扇面の表裏を活用できる汎用性のある柄付き円形扇子を提供しようとするものである。
【課題を解決するための手段】
【００１６】  本発明は、以下の構成によって前述の課題を解決できる。
請求項１においては、畳んだ状態の扇面３を開くと円形を形成し該扇面３を畳むと略棒状になる円形扇子１と、開いた状態の該円形扇子１を保持し畳んだ状態の該円形扇子１を収納可能とする合成樹脂で成形された有底の円筒状の柄２と、該柄２の上部開口部に着脱自在に冠着されるクリップ１７を具備した略円筒状のキャップ１６とから構成された柄付き円形扇子であって、前記円形扇子１は、合成樹脂で一体成形された一対の扇骨６と扇面３を形成するシート状基材５と該シート状基材５を結束する軸７とから構成され、前記一対の扇骨６は、前記シート状基材５の両端に係止固着する固着部６−１と該固着部に延設した突出部６−２とから成り、前記扇面３は、前記円形扇子１が開いた状態で円形を形成するように横方向に細長い前記シート状基材５を蛇腹状に均等に折り畳んだ該シート状基材５の短手方向の下端部を緊締結束して軸７を設け、前記一対の扇骨６の固着部６−１は、蛇腹状に均等に折り畳んだ状態の前記基材５の短手方向の幅寸法に収まる幅寸法を有した薄平板状を成し、該蛇腹状に均等に折り畳んだシート状基材５の最初と最後との折り曲げ部の前記軸部７から該シート状基材５の上端部にかけて係止固着し、さらにその折り畳んだ該シート状基材５の上端部から１０ｍｍ程度上部までを形成し、前記一対の扇骨６の突出部６−２は、前記軸７を下部方向にした場合の前記シート状基材５に係止固着した前記固着部６−１の高さ方向の上部に突出した指先で挟持できる程度の長さ寸法を形成し、該左右の突出部６−２を左右の指先で掴み前記軸７を中心に枢動することによって蛇腹状に折り畳んだ前記シート状基材５が展開して前記円形扇子１の扇面３を円形に形成し、前記左右の突出部６−２は、開いた状態の前記円形扇子１を前記柄２の上部に嵌脱可能に保持し得る嵌合保持手段を具備し、そして前記軸７を下部方向に前記円形扇子１を畳み、前記柄２の中空部に収納して前記クリップ１７を具備した前記キャップ１６を該柄２の上部開口部に冠着できるように構成したことによりペン型に収納可能となることを特徴とするものである。【００１７】  請求項２においては、前記扇骨６の左右の突出部６−２の形状は、前記円形扇子１を畳んだ状態ではその左右の接合部が略半円周曲面どうしであり、前記円形扇子１を開いた状態ではその左右の接合部が平面どうしであり、その横断面は、それぞれ丸頭リベット状のその丸頭部の両端が丸みを帯びた形状を有し、前記円形扇子１を開いた状態の前記左右の突出部６−２が接合したその横断面は、前記丸頭リベット状の左右の丸頭部が前記柄２の内円周面にそれぞれ摺動可能に密接する曲面を形成し、且つ前記柄２の内径寸法に嵌脱可能に内接する幅寸法を有し、前記左右の丸頭リベット状の丸頭部の高さ寸法は、それぞれ該丸頭リベット状の首下の長さ寸法と略同程度であり、該丸頭リベット状のその軸径寸法は、該丸頭リベット状の首下の長さ寸法の略２倍程度であり、前記畳んだ状態の前記円形扇子１の左右の突出部６−２の接合した横断面の外形が前記柄２の外径寸法に収まるように形成されていることをも特徴とするものである。【００１８】  請求項３においては、畳んだ状態の前記円形扇子１において、前記扇骨の左右の突出部６−２の接��部の片方の略半円周曲面の上部に第一の係止ピン１０を横設し、該第一の係止ピン１０は、前記柄２の外円周側面に係着して摺動可能とする頭部を有しその頭部の首下の長さ寸法は該柄２の肉厚相当を有し、前記第一の係止ピン１０を設けた他方の前記突出部６−２の略半円周曲面に該第一の係止ピン１０に相対する位置に該第一の係止ピン１０を嵌脱可能に緩嵌合し得る凹型の第一の咬合孔１２を設け、前記第一の係止ピン１０を設けた他方の突出部６−２の接合部の略半円周曲面の下部に前記第一の係止ピン１０と同一形状の第二の係止ピン１１を横設し、該第二の係止ピン１１に相対する他方の前記突出部６−２の略半円周曲面の位置に該第二の係止ピン１１を嵌脱可能に緩嵌合し得る凹型の第二の咬合孔１３を設け、前記左右の突出部６−２の略半円周曲面の接合部は前記第一の係止ピン１０が前記第一の咬合孔１２に、前記第二の係止ピン１１が前記第二の咬合孔１３に、と相互に係入して緩嵌合するように形成した構成としたことにより前記折り畳んだ円形扇子１が前記柄２の中空部に収納しやすくなりさらに前記キャップ１６を該柄２の上部に冠着できことによりコンパクトで携行しやすいように構成したことをも特徴とするものである。【００１９】  請求項４においては、前記柄２は、畳んだ状態の前記円形扇子１の扇面３の長手方向を収納する長さ寸法とその短手方向を包接して収納する内径寸法とを有し、そして開いた状態の前記円形扇子１の左右の扇骨６の突出部６−２を保持するための前記第一の係止ピン１０を摺動可能に係合する第一の摺動溝８と前記第二の係止ピン１１を摺動可能に係合する第二の摺動溝９とを前記柄２の上部開口部の円周縁部の両端からそれぞれ下部方向に周設し、前記第一の摺動溝８に前記第一の係止ピン１０が、そして前記第二の摺動溝９に前記第二の係止ピン１１が、といずれもが前記柄２の内円周部に介挿して且つ前記軸７を上部方向にした時の前記左右の突出部６−２の上部面が前記柄２の上部縁面と均一となるように形成し、前記第一の係止ピン１０及び前記第二の係止ピン１１の両方が前記柄２の上部縁部より下部に介挿した位置から、さらに前記左右の接合した状態の突出部６−２を左右どちらかの横方向に数十度枢動して前記第一の係止ピン１０及び前記第二の係止ピン１１がそれぞれ摺動可能な略Ｌ字型を形成するように前記第一の摺動溝８と前記第二の摺動溝９とを延設し、そして該第一の摺動溝８と該第二の摺動溝９とのそれぞれの停止部に前記第一の係止ピン１０の首下部を嵌脱可能に嵌合する第一の嵌合孔１４と第二の係止ピン１１の首下部を嵌脱可能に嵌合すると第二の嵌合孔１５とを形成し、さらに該第一の嵌合孔１４と該第二の嵌合孔１５との入口に、前記第一の係止ピン１０が前記第一の嵌合孔１４からそして前記第二の係止ピン１１が第二の嵌合孔１５からとそれぞれ係脱を防止するための係脱防止手段として弾性を有する係止凸部１８をそれぞれに形成したことにより、前記柄２が前記円形扇子１を保持できるように構成したことにより団扇のような握持部を有する円形扇子が形成できることにより扇面３が両面活用できることをも特徴とするものである。
【発明の効果】
【００２０】  従って本発明の柄付き円形扇子の使用時は、扇面と握持部が一体化していため一見、団扇のようであるが、しかし収納時は握持部となる柄の中空部に畳んだ状態の円形扇子が収納可能となり該柄の上部にキャップを冠着することにより、ペン型を形成してコンパクトになりワイシャツのポケットなどにも収まり携帯しやすくなる。
【図面の簡単な説明】
【００２１】
【図１】の（ａ）は本発明の円形扇子の表面を手前側にして開いた状態の全体を示す概略斜視図である。（ｂ）は本発明の円形扇子の表面を手前にして開いた状態の左右の扇骨（固着部と突出部）を示す概略正面図である。
【図２】の（ａ）は本発明の円形扇子を柄の中空部に収納してキャップを冠着した収納状態でペン型になることを示す概略側面図である。（ｂ）は本発明の円形扇子の表面を手前側にして畳み軸を下部方向に柄の中空部に収納した状態を示す概略参考正面図である。（ｃ）は本発明の円形扇子の表面を手前側にして畳み軸を下部方向にした状態の円形扇子示す概略正面図である。
【図３】の（ａ）〜（ｃ）は本発明の柄部を示す概略拡大図で、（ａ）は［図３］（ｃ）のＡ方向から見た左側面図である。（ｂ）は［図３］（ｃ）のＡ方向から見た右側面図である。（ｃ）は柄の概略斜視図である。
【図４】の（ａ）は本発明の円形扇子の表面を手前側にして開いた状態を柄に嵌合固定した時の全体を示す正面図である。（ｂ）は［図４］の（ａ）のＡ−Ａ切断の概略拡大端面図で柄が円形扇子を保持する状態を示す突出部の係止ピンと嵌合孔と係止凸部の形状と構成状態を示す。（ｃ）は［図４］の（ａ）のＢ−Ｂ切断の概略拡大端面図で柄が円形扇子を保持する状態を示す突出部の係止ピンと嵌合孔と係止凸部の形状と構成状態を示す。
【図５】の（ａ）〜（ｄ）は本発明の円形扇子のその扇面の表面を手前側にして畳んで軸を下部方向にして柄の中空部に収納した図であって、（ａ）はその収納状態を示す参考正面図である。（ｂ）は左右の突出部の略半円周曲面上に設けた第一係止ピンと第一の咬合孔及び第二の係止ピンと第二の咬合孔との緩嵌合状態と柄の外径内に突出部の外形が収まる状態を示す概略平面図である。（ｃ）は図５の（ａ）におけるＣ−Ｃ切断面の概略拡大端面図で左右の突出部の第一の係止ピンと第一の咬合孔との緩嵌合状態を示す。（ｄ）は図５の（ａ）におけるＤ−Ｄ切断面の概略拡大端面図で左右の突出部の第二の係止ピンと第二の咬合孔との緩嵌合状態を示す。
【発明を実施するための形態】
【００２２】  以下、本発明に係る実施の形態を図１〜図５に基づいて説明する。
本発明の柄付き円形扇子は、図２（ｃ）に示すように扇面３を形成する蛇腹状に均等に折り畳んだシート状基材５とその短手方向の下端部を緊締結束した軸７とそのシート状基材５の両端に係止固着した扇骨６とから成る円形扇子１を、図１（ａ）に示すように開いた状態のその円形扇子１を保持し、図２（ｂ）に示すように畳んだ状態のその円形扇子１を収納可能とする円筒状の柄２とその柄２の上部に冠着するクリップ１７を具備したキャップ１６から構成され図２（ａ）に示すようにペン型に収納できるようになっている。
【００２３】  円形扇子１は、図１（ａ）に示すように扇面３を形成するシート状基材５と軸７そして一対の扇骨６とから構成されている。図１（ａ）と図２（ｃ）に示すようにその扇面３は、円形に形成する横方向に細長いシート状基材５を蛇腹状に均等に折り畳んだ該シート状基材５の短手方向の下端部に緊締結束した軸７を設けている。なお扇面を形成するシート状基材は、蛇腹状に均等に折り畳んで折り目が付くシート状であれば紙でもプラスチックでもよく、その大きさは、折り畳みの幅が１０ｍｍ程度で直径２００ｍｍ前後の扇面が望ましい。その場合の基材はおよそ高さ１１０ｍｍ前後で横７００〜８００ｍｍ前後が必要となる。軸は、扇面の中心部となるため緊締結束できて目立たなく小さい軸を形成するものが好ましく強度がある糸であってもプラスチックでも金属でも構わない。
【００２４】  一対の扇骨６は、図１（ｂ）に示すように、固着部６−１と突出部６−２から成っている。その左右の固着部６−１は、図１（ａ）に示すように蛇腹状に均等に折り畳んだ状態の前記基材５の短手方向の幅寸法に収まる幅寸法を有した薄平板状を成し、軸部７から蛇腹状に均等に折り畳んだシート状基材５の最初と最後の折目部の上端部にかけてそれぞれに係止固着しさらにその端部より１０ｍｍ程度までを形成している。
【００２５】  左右の突出部６−２は、図１（ｂ）に示すように固着部６−１に延設して形成され、指先で挟持できる程度の長さ寸法で柄２の上部中空部に嵌合するように形成されている。図１（ｂ）に示すように左側の突出部６−２の略半円周曲面上の上部に第二の咬合孔１３を設けその下部に第一の係止ピン１０を設けている。そして同じく図１（ｂ）に示すように右側の突出部６−２の略半円周曲面上の上部には第二の係止ピン１１を設けその下部に第一の咬合孔１２を設けている。その左右の突出部６−２を左右の指先で掴み軸７を中心に枢動することによって蛇腹状に均等に折り畳んだシート状基材５が展開して図１（ａ）に示すように円形の扇面３を形成できるようになっている。なお、扇骨６は合成樹脂で一体成形されその材質は多少弾性を有するポリエチレンなどが好ましい。
【００２６】  柄２は、図３（ｃ）のＡ方向から見た左側面図である図３（ａ）が示すように上部開口部から略Ｌ字型を形成する第一の摺動溝８と第一の咬合孔１４とその第一の咬合孔１４の入口に設けられた係止凸部１８が形成されている。同様に図３（ｃ）のＡ方向から見た右側面図である図３（ｂ）が示すように上部に略Ｌ字型を形成する第二の摺動溝９と第二の咬合孔１５とその第一の咬合孔１５の入口に設けられた係止凸部１８が形成されている。
なお、柄は合成樹脂で形成された適度な強度があるものが好ましい。また、扇面の表面積を大きくすると柄に抵抗がかかりすぎるので突出部と係止ピンの大きさは適宜バランスを調整することが望ましい。
【００２７】  図４（ａ）のＡ−Ａ切断面の概略拡大端面図である図４（ｂ）は、開いた状態の円形扇子１の左右の突出部６−２が柄２の中空部に嵌合した状態で図４（ｂ）が示すように、その左右の突出部６−２の接合部は平面どうしとなるように形成され、その左右の外周部は柄２の内円周部に内接するように左右の丸頭リベット状を呈すその丸頭部が形成されている。
【００２８】  さらに図４（ｂ）に示すように突出部６−２の右側の略半円周曲面上に設けられた第二の係止ピン１１が第二の摺動溝９を摺動して第二の嵌合孔１５に嵌合するように形成され、且つその第二の係止ピン１１の頭部が柄２に係着するようにその係止ピンの首下の長さが柄２の肉厚相当となるように形成されている。そして第二の係止ピン１１が第二の嵌合孔１５から係脱するのを防止する係脱防止手段として係止凸部１８が設けられているように構成されている。
【００２９】  前述同様に図４（ａ）のＢ−Ｂ切断面の概略拡大端面図である図４（ｃ）は開いた状態の円形扇子の左右の突出部６−２が柄２の中空部に嵌合した状態で図４（ｃ）が示すように、その左右の突出部６−２の接合部は平面どうしとなるように形成され、その左右の外周部は柄２の内円周部に内接するように左右の頭リベット状のその丸頭部が形成されている。
【００３０】  さらに図４（ｃ）に示すように突出部６−２の左側の略半円周曲面上に設けられた第一の係止ピン１０が第一の摺動溝８を摺動して第一の嵌合孔１４に嵌合するように形成され、且つその第一の係止ピン１０の頭部が柄２に係着するようにその係止ピンの首下の長さを柄２の肉厚相当となるように形成されている。そして第一の係止ピン１０が第一の嵌合孔１４から係脱するのを防止する係脱防止手段として係止凸部１８が設けられているように構成されている。
【００３１】  従って本発明を使用する時は、円形扇子１の左右の突出部６−２を左右の指先で軸７を中心に円を描くようにして円形扇子を開きその左右の突出部６−２を接合部させて、図３の（ｃ）に示す柄２の上部開口部に設けた略Ｌ字型の第一の摺動溝８と第二の摺動溝９に、図４の（ａ）と（ｂ）に示すように右側の突出部６−２に設けた第二の係止ピン１が柄２に設けた第二の摺動溝１５と、そして図４（ｃ）に示すように左側の突出部６−２に設けた第一の係止ピン１０が柄に設けた第一の摺動溝８にそれぞれ嵌挿させて摺動させ、その左右の突出部６−２を左方向に捻りそれぞれ第二の係止ピン１１が第二の嵌合孔１５と第一の係止ピン１０が第一の嵌合孔１４とに嵌合させることにより該第一と第二の嵌合孔１４，１５の入口に形成した係止凸部１８により前記第一と第二の係止ピン１０，１１の係脱を防止できため柄２が円形扇子１を保持できるように構成されている。
【００３２】  図５（ａ）に示すように畳んだ状態の円形扇子１は扇面３が柄２の中空部に収納可能となるように形成され、左右の突出部６−２がその柄２の上部端部から露出するように構成されている。なお、柄２の外径は１５ｍｍ以下が望ましくまた柄２の上部にキャップ１６を冠着した時の全長は、１５０ｍｍ以下に収まるようにすることが望ましい。
【００３３】    畳んだ状態の円形扇子１を柄２の中空部に収納した状態の概略正面図を示す図５（ｂ）は左右の突出部６−２の片側の略半円周曲面上に設けられた第一の係止ピン１０が他方の突出部６−２の略半円周曲面上に設けられた第一の咬合孔１２に緩嵌合し、さらに同様に左右の突出部６−２の片側の略半円周曲面上に設けられた第二の係止ピン１１が他方の突出部６−２の略半円周曲面上に設けられた第二の咬合孔１３に緩嵌合し、且つ柄２の外径内に左右の突出部６−２が収まるように構成されている。
【００３４】  図５（ｃ）は図５（ａ）のＣ−Ｃ切断面を示す概略拡大端面図で畳んだ状態の円形扇子１を柄２の中空部に収納した状態の左右の突出部６−２の片側の略半円周曲面上に設けられた第一の係止ピン１０がその他方の突出部の略半円周曲面上に設けられた第一の咬合孔１２に緩嵌合するように形成されている。
【００３５】  同様に図５（ｄ）は図５（ａ）のＤ−Ｄ切断面を示す概略拡大端面図である畳んだ状態の円形扇子１を柄２の中空部に収納した状態の左右の突出部６−２の片方の略半円周曲面上に設けられた第二の係止ピン１１がその他方の突出部６−２の略半円周曲面上に設けられた第二の咬合孔１３に緩嵌合するように形成されている。
【００３６】  従って、本発明を収納する時は、図４（ａ）に示すように開いた状態の円形扇子１の扇骨６の固着部６−１が扇面より露出している部位を指で摘み右横方向に捻り第一と第二の係止ピン１０、１１を第一と第二の嵌合孔１４、１５より嵌脱させ、さらに第一と第二の摺動溝８、９を摺動させて柄２の中空部より円形扇子１を上部方向に抜脱させて、左右の突出部６−２の平面どうしの接合部を離脱させて円形扇子１を畳み、図５の（ｂ）に示すようにその左右の突出部６−２の略半円周曲面どうしを接合させて緩嵌合させ図５の（ａ）に示すようにその円形扇子１の軸７を下部方向にして柄２の中空部に収納しさらに柄２の上部にクリップ１７を具備したキャップ１６を冠着することにより図２（ａ）に示すようにペン型に収納できるように構成されている。
【変形例】
【００３７】  本発明を実施するための形態においては、前述の実施形態に限定されるものではなく例えば、有底の円筒状の柄の内部に円形扇子が収納可能であれば柄をテーパー状に形成してもよい。
【００３８】  また、柄が保持する円形扇子の嵌合保持手段として、前述の嵌合保持手段とした係止ピンと嵌合孔と摺動溝等を用いずに、代わりに畳んだ状態の円形扇子を柄の中空部に収納した時にその柄の上部にキャップが冠着可能な雄ねじを、開いた状態の該円形扇子の左右の突出部の側面部に形成し、該柄の上部開口部の内円周部に前記雄ねじに螺合可能な雌ねじを形成して該柄が該円形扇子を保持可能とすることにより同様に機能する。
【００３９】  なお、本発明の円形扇子のようにその円形扇子の軸を中心に左右の扇骨を枢動することにより扇面が円形を形成する扇子と柄に嵌合する扇骨の突出部を用いれば、柄がその円形扇子を保持可能とする保持手段は前述に限定されることではなく、その円形扇子を保持可能とし且つその円形扇子がその柄に収納可能でありキャップを冠着できれば保持手段は適宜変更可能となることである。例えばその保持手段として、柄に嵌合した突出部にその柄とその突出部とを貫通する係止ピンを用いて円形扇子を保持することによっても同様に機能する。
【産業上の利用可能性】
【００４０】  本発明は、単に個人的な生活用具に止まらず、扇面の両面を活用することにより商業用としての宣伝効果や、公共用としての夏祭りや地域おこし、スポーツ大会やイベント等にも利用できるものである。さらに、２０２０年の東京オリンピックパラリンピックの応援用具や国内国外のオリンピック土産としても有効利用できるものである。
【符号の説明】
【００４１】１  円形扇子
２  柄
３  扇面
５  シート状基材
６  扇骨
６−１  固着部
６−２  突出部
７  軸
８  第一の摺動溝
９  第二の摺動溝
１０  第一の係止ピン
１１  第二の係止ピン
１２  第一の咬合孔
１３  第二の咬合孔
１４  第一の嵌合孔
１５  第二の嵌合孔
１６  キャップ
１７  クリップ
１８  係止凸部
【図１】
2018075341.tif 000004
【図２】
2018075341.tif 000005
【図３】
2018075341.tif 000006
【図４】
2018075341.tif 000007
【図５】
2018075341.tif 000008
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
短手方向を蛇腹状に均等に折り畳んだ細長いシート状基材（５）と、前記シート状基材（５）の短手方向の一端部を緊締結束した軸（７）と、前記シート状基材（５）の長手方向の両端部にそれぞれ係止固着させた平板状の一対の固着部（６−１）と前記一対の固着部（６−１）の前記軸（７）と反対側の端部から延設した一対の突出部（６−２）とから形成された一対の扇骨（６）とから成る円形扇子（１）と、開いた状態の前記円形扇子（１）を保持可能であり畳んだ状態の前記円形扇子（１）を収納可能とする有底の円筒状の柄（２）と、前記柄（２）に着脱自在に冠着されるクリップ（１７）を具備した略円筒状のキャップ（１６）と、から構成されたペン型に収納できる柄付き円形扇子であって、
前記一対の突出部（６−２）は、開いた状態の前記円形扇子（１）を前記柄（２）の開口部に嵌脱可能に保持し得る嵌合保持手段および一方が略半円周曲面で他方が平面の前記一対の突出部同士を接合する接合部を備え、
前記円形扇子（１）が畳んだ状態では前記一対の突出部（６−２）の接合部が前記略半円周曲面どうしであるとともに、横断面において前記平面が前記柄（２）の外径内に収まるように形成されており、
前記円形扇子（１）が開いた状態では前記一対の突出部（６−２）の接合部が平面どうしであるとともに、横断面において前記略半円周曲面が前記柄（２）の内円周面に摺動可能に形成されていることを特徴とした柄付き円形扇子。
【請求項２】
前記一対の突出部（６−２）の一方の前記略半円周曲面上の上下に、第一の係止ピン（１０）と第二の咬合孔（１３）を設け、それぞれに緩嵌合するように他方の前記略半円周曲面上の上下に第一の咬合孔（１２）と第二の係止ピン（１１）とを設け、前記円形扇子（１）が畳んだ状態では前記緩嵌合することにより前記一対の突出部（６−２）の略半円周曲面どうしが密着するように構成されていることを特徴とする請求項１に記載の柄付き円形扇子。
【請求項３】
前記柄（２）には前記嵌合保持手段を嵌合係止する、前記第一の係止ピン（１０）及び前記第二の係止ピン（１１）とがそれぞれ摺動可能である前記柄（２）の上部縁部より略Ｌ字型に形成した第一の摺動溝（８）及び第二の摺動溝（９）と、前記第一の摺動溝（８）及び前記第二の摺動溝（９）の端部に設けられた前記第一の係止ピン（１０）及び前記第二の係止ピン（１１）がそれぞれ嵌合し係止する第一の嵌合孔（１４）及び第二の嵌合孔（１５）と、前記第一の嵌合孔（１４）及び前記第二の嵌合孔（１５）の入口の係止凸部（１８）とを設けたことを特徴とする請求項２に記載の柄付き円形扇子。
【手続補正２】
【補正対象書類名】明細書
【補正対象項目名】全文
【補正方法】変更
【補正の内容】
【発明の詳細な説明】
【技術分野】
【０００１】  本発明は、柄の中空部に円形扇子を収納可能とする柄付き円形扇子に関する。
【背景技術】
【０００２】  一般的な扇子は、複数の扇骨と、扇面を形成する基材から成り、その扇骨は縦方向の長さが２０〜２５ｃｍ前後の細長い薄板状の一対の親骨と、その中間部に親骨よりさらに薄い板状の複数の中骨から成り、それらの扇骨を重ね合わせて結束したその下端部に貫通する要を設け、その要の上部に扇形の扇面を形成する蛇腹状に均等に折り畳んだ基材を貼着させ、使用時には要を軸に左右の親骨をスライドさせて扇面を広げ、畳むときはその左右の親骨を重ね合わせることにより扇面が閉じるようになっている。【０００３】  また円形の扇面を形成する円形扇子は、一対の親骨とその中間部にその親骨より短い薄板状の複数の中骨と扇面を形成するシート状基材とから構成され、その親骨と複数の中骨を重ね合わせた端部を貫通する軸を設け、その軸部を除くその中骨が形成する円周部に蛇腹状に均等に折り畳んだ基材をその親骨と中骨に貼着して成り、その親骨の片方をその軸を中心に他方の親骨を枢動させて親骨どうしが重なることによりそのシート状基材がドーナツ状の扇面を形成して、その左右が重なった親骨の下端部を握持部として使用する円形扇子がある。【０００４】  さらに二本の扇骨と扇面を形成する基材からなる円形扇子は、横長の蛇腹状に均等に折り畳んだ基材の下端部を結束して軸を設け、扇面が円形を形成するようにその蛇腹状に均等に折り畳んだ基材の最初と最後の折目部に、それぞれ薄板状のその基材の上部の端部を上回る長さを有する扇骨を固着させその軸を中心にその左右の扇骨を左右の指先で円を描くように展開することにより基材が円形の扇面を形成する円形扇子もある。【０００５】  団扇は、扇子と形状が異なり一般に棒状の握持部となる柄と風を起こす薄肉の放射状の扇骨とを一体に形成した骨組に、その扇骨部を基材で覆い扇面を形成して成り、その柄部を握り扇いで使用するようになっている。【０００６】  扇ぎ葉と柄を一体化してさらにその柄を補強する鞘部を備え、それらが一体化した厚紙製でできた畳むことができる柄付き扇子がある。（例えば、特許文献１参照。）。【０００７】  親骨と中骨の間に要軸を貫通する回動可能な、耳かきやナイフなどの長片部材を扇子内部に収容可能とする扇子があるがある。（例えば、特許文献２参照。）。【０００８】  折り曲げ可能な板状部材を用いて、扇子を構成する帯状の骨子と扇面を形成する蛇腹状の折り曲げ部とが交互に連続して連接し、さらにその骨子を回動可能に固定するためにその骨子の各基端部に貫通状態で設けられた要部を備えた一体で形成される扇子がある。（例えば、特許文献３参照。）。【０００９】  一般的な扇子の構成である一対の親骨とその中間部の中骨から形成された扇子に、その扇子の要を同一として回動自在の親骨より長い一対の骨を親骨の外側に設け柄として使用するうちわ型扇子がある。（例えば、特許文献４参照。）。
【先行技術文献】
【特許文献】
【００１０】
【特許文献１】特開２０１４−２１０１２８号公報
【特許文献２】特開２０１５−１９８９９７号公報
【特許文献３】特開２０１３−３４６２７号公報
【特許文献４】特開２０１４−２１７７２０号公報
【発明の概要】
【発明が解決しようとする課題】
【００１１】  これは、以下のような問題がある。
扇子はコンパクトで携帯しやすいため主に夏場の外出先などで使用されている。団扇は家庭内やお祭りやスポーツ観戦などで多く使用されている。そのような扇子と団扇の両方の使用に対応できるものがなかった。【００１２】  団扇は宣伝用やイベント用として扇面を活用することがあるが、扇子を宣伝用に使うことは団扇に比べ少なかった。【００１３】  円形扇子は片方の親骨をスライドさせるものと要を軸に片側の親骨を枢動させるものがあるがいずれも握持部となる親骨が突出して携帯しにくかった。【００１４】  円形扇子に柄を備え、その円形扇子をその柄の内部に収納できるコンパクトでペン型に収納できるものがなかった。【００１５】  従って、本発明の意図することは、扇子と団扇の双方の利点を備えたコンパクトに収納できて携帯しやすい上、扇ぎ易くイベントや宣伝等にも利用しやすい扇面の表裏を活用できる汎用性のある柄付き円形扇子を提供しようとするものである。
【課題を解決するための手段】
【００１６】  本発明は、以下の構成によって前述の課題を解決できる。
請求項１においては、短手方向を蛇腹状に均等に折り畳んだ細長いシート状基材（５）と、前記シート状基材（５）の短手方向の一端部を緊締結束した軸（７）と、前記シート状基材（５）の長手方向の両端部にそれぞれ係止固着させた平板状の一対の固着部（６−１）と前記一対の固着部（６−１）の前記軸（７）と反対側の端部から延設した一対の突出部（６−２）とから形成された一対の扇骨（６）とから成る円形扇子（１）と、開いた状態の前記円形扇子（１）を保持可能であり畳んだ状態の前記円形扇子（１）を収納可能とする有底の円筒状の柄（２）と、前記柄（２）に着脱自在に冠着されるクリップ（１７）を具備した略円筒状のキャップ（１６）と、から構成されたペン型に収納できる柄付き円形扇子であって、前記一対の突出部（６−２）は、開いた状態の前記円形扇子（１）を前記柄（２）の開口部に嵌脱可能に保持し得る嵌合保持手段および一方が略半円周曲面で他方が平面の前記一対の突出部同士を接合する接合部を備え、
前記円形扇子（１）が畳んだ状態では前記一対の突出部（６−２）の接合部が前記略半円周曲面どうしであるとともに、横断面において前記平面が前記柄（２）の外径内に収まるように形成されており、前記円形扇子（１）が開いた状態では前記一対の突出部（６−２）の接合部が平面どうしであるとともに、横断面において前記略半円周曲面が前記柄（２）の内円周面に摺動可能に形成されていることを特徴とした柄付き円形扇子である。【００１７】  請求項２においては、前記一対の突出部（６−２）の一方の前記略半円周曲面上の上下に、第一の係止ピン（１０）と第二の咬合孔（１３）を設け、それぞれに緩嵌合するように他方の前記略半円周曲面上の上下に第一の咬合孔（１２）と第二の係止ピン（１１）とを設け、前記円形扇子（１）が畳んだ状態では前記緩嵌合することにより前記一対の突出部（６−２）の略半円周曲面どうしが密着するように構成されていることを特徴とする請求項１に記載の柄付き円形扇子である。【００１８】  請求項３においては、前記柄（２）には前記嵌合保持手段を嵌合係止する、前記第一の係止ピン（１０）及び前記第二の係止ピン（１１）とがそれぞれ摺動可能である前記柄（２）の上部縁部より略Ｌ字型に形成した第一の摺動溝（８）及び第二の摺動溝（９）と、前記第一の摺動溝（８）及び前記第二の摺動溝（９）の端部に設けられた前記第一の係止ピン（１０）及び前記第二の係止ピン（１１）がそれぞれ嵌合し係止する第一の嵌合孔（１４）及び第二の嵌合孔（１５）と、前記第一の嵌合孔（１４）及び前記第二の嵌合孔（１５）の入口の係止凸部（１８）とを設けたことを特徴とする請求項２に記載の柄付き円形扇子である。
【発明の効果】
【００１９】  従って本発明の柄付き円形扇子の使用時は、扇面と握持部が一体化していため一見、団扇のようであるが、しかし収納時は握持部となる柄の中空部に畳んだ状態の円形扇子が収納可能となり該柄の上部にキャップを冠着することにより、ペン型を形成してコンパクトになりワイシャツのポケットなどにも収まり携帯しやすくなる。
【図面の簡単な説明】
【００２０】
【図１】の（ａ）は本発明の円形扇子の表面を手前側にして開いた状態の全体を示す概略斜視図である。（ｂ）は本発明の円形扇子の表面を手前にして開いた状態の左右の扇骨（固着部と突出部）を示す概略正面図である。
【図２】の（ａ）は本発明の円形扇子を柄の中空部に収納してキャップを冠着した収納状態でペン型になることを示す概略側面図である。（ｂ）は本発明の円形扇子の表面を手前側にして畳み軸を下部方向に柄の中空部に収納した状態を示す概略参考正面図である。（ｃ）は本発明の円形扇子の表面を手前側にして畳み軸を下部方向にした状態の円形扇子示す概略正面図である。
【図３】の（ａ）〜（ｃ）は本発明の柄部を示す概略拡大図で、（ａ）は［図３］（ｃ）のＡ方向から見た左側面図である。（ｂ）は［図３］（ｃ）のＡ方向から見た右側面図である。（ｃ）は柄の概略斜視図である。
【図４】の（ａ）は本発明の円形扇子の表面を手前側にして開いた状態を柄に嵌合固定した時の全体を示す正面図である。（ｂ）は［図４］の（ａ）のＡ−Ａ切断の概略拡大端面図で柄が円形扇子を保持する状態を示す突出部の係止ピンと嵌合孔と係止凸部の形状と構成状態を示す。（ｃ）は［図４］の（ａ）のＢ−Ｂ切断の概略拡大端面図で柄が円形扇子を保持する状態を示す突出部の係止ピンと嵌合孔と係止凸部の形状と構成状態を示す。
【図５】の（ａ）〜（ｄ）は本発明の円形扇子のその扇面の表面を手前側にして畳んで軸を下部方向にして柄の中空部に収納した図であって、（ａ）はその収納状態を示す参考正面図である。（ｂ）は一対の突出部の略半円周曲面上に設けた第一係止ピンと第一の咬合孔及び第二の係止ピンと第二の咬合孔との緩嵌合状態と柄の外径内に突出部の外形が収まる状態を示す概略平面図である。（ｃ）は図５の（ａ）におけるＣ−Ｃ切断面の概略拡大端面図で一対の突出部の第一の係止ピンと第一の咬合孔との緩嵌合状態を示す。（ｄ）は図５の（ａ）におけるＤ−Ｄ切断面の概略拡大端面図で一対の突出部の第二の係止ピンと第二の咬合孔との緩嵌合状態を示す。
【発明を実施するための形態】
【００２１】  以下、本発明に係る実施の形態を図１〜図５に基づいて説明する。
本発明の柄付き円形扇子は、図２（ｃ）に示すように扇面３を形成する蛇腹状に均等に折り畳んだシート状基材５とその短手方向の下端部を緊締結束した軸７とそのシート状基材５の両端に係止固着した扇骨６とから成る円形扇子１を、図１（ａ）に示すように開いた状態のその円形扇子１を保持し、図２（ｂ）に示すように畳んだ状態のその円形扇子１を収納可能とする円筒状の柄２とその柄２の上部に冠着するクリップ１７を具備したキャップ１６から構成され図２（ａ）に示すようにペン型に収納できるようになっている。
【００２２】  円形扇子１は、図１（ａ）に示すように扇面３を形成するシート状基材５と軸７そして一対の扇骨６とから構成されている。図１（ａ）と図２（ｃ）に示すようにその扇面３は、円形に形成する横方向に細長いシート状基材５を蛇腹状に均等に折り畳んだ該シート状基材５の短手方向の下端部に緊締結束した軸７を設けている。なお扇面を形成するシート状基材は、蛇腹状に均等に折り畳んで折り目が付くシート状であれば紙でもプラスチックでもよく、その大きさは、折り畳みの幅が１０ｍｍ程度で直径２００ｍｍ前後の扇面が望ましい。その場合の基材はおよそ高さ１１０ｍｍ前後で横７００〜８００ｍｍ前後が必要となる。軸は、扇面の中心部となるため緊締結束できて目立たなく小さい軸を形成するものが好ましく強度がある糸であってもプラスチックでも金属でも構わない。
【００２３】  一対の扇骨６は、図１（ｂ）に示すように、固着部６−１と突出部６−２から成っている。その一対の固着部６−１は、図１（ａ）に示すように蛇腹状に均等に折り畳んだ状態の前記基材５の短手方向の幅寸法に収まる幅寸法を有した薄平板状を成し、軸部７から蛇腹状に均等に折り畳んだシート状基材５の最初と最後の折目部の上端部にかけてそれぞれに係止固着しさらにその端部より１０ｍｍ程度までを形成している。
【００２４】一対の突出部６−２は、図１（ｂ）に示すように固着部６−１に延設して形成され、指先で挟持できる程度の長さ寸法で柄２の上部中空部に嵌合するように形成されている。図１（ｂ）に示すように左側の突出部６−２の略半円周曲面上の上部に第二の咬合孔１３を設けその下部に第一の係止ピン１０を設けている。そして同じく図１（ｂ）に示すように右側の突出部６−２の略半円周曲面上の上部には第二の係止ピン１１を設けその下部に第一の咬合孔１２を設けている。その一対の突出部６−２を左右の指先で掴み軸７を中心に枢動することによって蛇腹状に均等に折り畳んだシート状基材５が展開して図１（ａ）に示すように円形の扇面３を形成できるようになっている。なお、扇骨６は合成樹脂で一体成形されその材質は多少弾性を有するポリエチレンなどが好ましい。
【００２５】柄２は、図３（ｃ）のＡ方向から見た左側面図である図３（ａ）が示すように上部開口部から略Ｌ字型を形成する第一の摺動溝８と第一の咬合孔１４とその第一の咬合孔１４の入口に設けられた係止凸部１８が形成されている。同様に図３（ｃ）のＡ方向から見た右側面図である図３（ｂ）が示すように上部に略Ｌ字型を形成する第二の摺動溝９と第二の咬合孔１５とその第一の咬合孔１５の入口に設けられた係止凸部１８が形成されている。
なお、柄は合成樹脂で形成された適度な強度があるものが好ましい。また、扇面の表面積を大きくすると柄に抵抗がかかりすぎるので突出部と係止ピンの大きさは適宜バランスを調整することが望ましい。
【００２６】図４（ａ）のＡ−Ａ切断面の概略拡大端面図である図４（ｂ）は、開いた状態の円形扇子１の一対の突出部６−２が柄２の中空部に嵌合した状態で図４（ｂ）が示すように、その一対の突出部６−２の接合部は平面どうしとなるように形成され、その一対の外周部は柄２の内円周部に内接する略円周曲面が形成されている。
【００２７】さらに図４（ｂ）に示すように突出部６−２の右側の略半円周曲面上に設けられた第二の係止ピン１１が第二の摺動溝９を摺動して第二の嵌合孔１５に嵌合するように形成され、且つその第二の係止ピン１１の頭部が柄２に係着するようにその係止ピンの首下の長さが柄２の肉厚相当となるように形成されている。そして第二の係止ピン１１が第二の嵌合孔１５から係脱するのを防止する係脱防止手段として係止凸部１８が設けられているように構成されている。
【００２８】前述同様に図４（ａ）のＢ−Ｂ切断面の概略拡大端面図である図４（ｃ）は開いた状態の円形扇子の一対の突出部６−２が柄２の中空部に嵌合した状態で図４（ｃ）が示すように、その一対の突出部６−２の接合部は平面どうしとなるように形成され、その一対の外周部は柄２の内円周部に内接する略円周曲面が形成されている。
【００２９】さらに図４（ｃ）に示すように突出部６−２の左側の略半円周曲面上に設けられた第一の係止ピン１０が第一の摺動溝８を摺動して第一の嵌合孔１４に嵌合するように形成され、且つその第一の係止ピン１０の頭部が柄２に係着するようにその係止ピンの首下の長さを柄２の肉厚相当となるように形成されている。そして第一の係止ピン１０が第一の嵌合孔１４から係脱するのを防止する係脱防止手段として係止凸部１８が設けられているように構成されている。
【００３０】従って本発明を使用する時は、円形扇子１の一対の突出部６−２を左右の指先で軸７を中心に円を描くようにして円形扇子を開きその一対の突出部６−２を接合部させて、図３の（ｃ）に示す柄２の上部開口部に設けた略Ｌ字型の第一の摺動溝８と第二の摺動溝９に、図４の（ａ）と（ｂ）に示すように右側の突出部６−２に設けた第二の係止ピン１が柄２に設けた第二の摺動溝１５と、そして図４（ｃ）に示すように左側の突出部６−２に設けた第一の係止ピン１０が柄に設けた第一の摺動溝８にそれぞれ嵌挿させて摺動させ、その一対の突出部６−２を左方向に捻りそれぞれ第二の係止ピン１１が第二の嵌合孔１５と第一の係止ピン１０が第一の嵌合孔１４とに嵌合させることにより該第一と第二の嵌合孔１４，１５の入口に形成した係止凸部１８により前記第一と第二の係止ピン１０，１１の係脱を防止できるため柄２が円形扇子１を保持できるように構成されている。
【００３１】図５（ａ）に示すように畳んだ状態の円形扇子１は扇面３が柄２の中空部に収納可能となるように形成され、一対の突出部６−２がその柄２の上部端部から露出するように構成されている。なお、柄２の外径は１５ｍｍ以下が望ましくまた柄２の上部にキャップ１６を冠着した時の全長は、１５０ｍｍ以下に収まるようにすることが望ましい。
【００３２】  畳んだ状態の円形扇子１を柄２の中空部に収納した状態の概略正面図を示す図５（ｂ）は一対の突出部６−２の片側の略半円周曲面上に設けられた第一の係止ピン１０が他方の突出部６−２の略半円周曲面上に設けられた第一の咬合孔１２に緩嵌合し、さらに同様に一対の突出部６−２の片側の略半円周曲面上に設けられた第二の係止ピン１１が他方の突出部６−２の略半円周曲面上に設けられた第二の咬合孔１３に緩嵌合し、且つ柄２の外径内に一対の突出部６−２が収まるように構成されている。
【００３３】図５（ｃ）は図５（ａ）のＣ−Ｃ切断面を示す概略拡大端面図で畳んだ状態の円形扇子１を柄２の中空部に収納した状態の一対の突出部６−２の片側の略半円周曲面上に設けられた第一の係止ピン１０がその他方の突出部の略半円周曲面上に設けられた第一の咬合孔１２に緩嵌合するように形成されている。
【００３４】同様に図５（ｄ）は図５（ａ）のＤ−Ｄ切断面を示す概略拡大端面図である畳んだ状態の円形扇子１を柄２の中空部に収納した状態の一対の突出部６−２の片方の略半円周曲面上に設けられた第二の係止ピン１１がその他方の突出部６−２の略半円周曲面上に設けられた第二の咬合孔１３に緩嵌合するように形成されている。
【００３５】従って、本発明を収納する時は、図４（ａ）に示すように開いた状態の円形扇子１の扇骨６の固着部６−１が扇面より露出している部位を指で摘み右横方向に捻り第一と第二の係止ピン１０、１１を第一と第二の嵌合孔１４、１５より嵌脱させ、さらに第一と第二の摺動溝８、９を摺動させて柄２の中空部より円形扇子１を上部方向に抜脱させて、一対の突出部６−２の平面どうしの接合部を離脱させて円形扇子１を畳み、図５の（ｂ）に示すようにその一対の突出部６−２の略半円周曲面どうしを接合させて緩嵌合させ図５の（ａ）に示すようにその円形扇子１の軸７を下部方向にして柄２の中空部に収納しさらに柄２の上部にクリップ１７を具備したキャップ１６を冠着することにより図２（ａ）に示すようにペン型に収納できるように構成されている。
【変形例】
【００３６】本発明を実施するための形態においては、前述の実施形態に限定されるものではなく例えば、有底の円筒状の柄の内部に円形扇子が収納可能であれば柄をテーパー状に形成してもよい。
【００３７】また、柄が保持する円形扇子の嵌合保持手段として、前述の嵌合保持手段とした係止ピンと嵌合孔と摺動溝等を用いずに、代わりに畳んだ状態の円形扇子を柄の中空部に収納した時にその柄の上部にキャップが冠着可能な雄ねじを、開いた状態の該円形扇子の左右の突出部の側面部に形成し、該柄の上部開口部の内円周部に前記雄ねじに螺合可能な雌ねじを形成して該柄が該円形扇子を保持可能とすることにより同様に機能する。
【００３８】なお、本発明の円形扇子のようにその円形扇子の軸を中心に左右の扇骨を枢動することにより扇面が円形を形成する扇子と柄に嵌合する扇骨の突出部を用いれば、柄がその円形扇子を保持可能とする保持手段は前述に限定されることではなく、その円形扇子を保持可能とし且つその円形扇子がその柄に収納可能でありキャップを冠着できれば保持手段は適宜変更可能となることである。例えばその保持手段として、柄に嵌合した突出部にその柄とその突出部とを貫通する係止ピンを用いて円形扇子を保持することによっても同様に機能する。
【産業上の利用可能性】
【００３９】本発明は、単に個人的な生活用具に止まらず、扇面の両面を活用することにより商業用としての宣伝効果や、公共用としての夏祭りや地域おこし、スポーツ大会やイベント等にも利用できるものである。さらに、２０２０年の東京オリンピックパラリンピックの応援用具や国内国外のオリンピック土産としても有効利用できるものである。
【符号の説明】
【００４０】１  円形扇子
２  柄
３  扇面
５  シート状基材
６  扇骨
６−１  固着部
６−２  突出部
７  軸
８  第一の摺動溝
９  第二の摺動溝
１０  第一の係止ピン
１１  第二の係止ピン
１２  第一の咬合孔
１３  第二の咬合孔
１４  第一の嵌合孔
１５  第二の嵌合孔
１６  キャップ
１７  クリップ
１８  係止凸部